(57)【要約】【課題】  読み出し専用非接触型ＩＣチップを切符に搭載して入出場の管理を行う。【解決手段】  本発明のシステムは、読み出し専用小型非接触型ＩＣチップを搭載した切符２と、切符２の販売と切符情報設定を行う切符販売装置１と、切符２の切符識別情報Ｄ１を読み取るための切符識別情報の読み取り専用リーダ３と、切符識別情報Ｄ１のユニークなＩＤ別の切符情報Ｄ２を格納する切符情報データベース４からなる。そして、このシステムでの情報処理を行うため、切符識別情報Ｄ１と切符識別情報Ｄ１のユニークなＩＤ別の切符情報Ｄ２から切符情報の整合性を判断するプログラム５と、プログラム５の判断情報を従来の切符情報Ｄ３に変換及び切符情報データベース４に格納できる形式に変換するプログラム６とが設けられる。また、プログラム６が入出力する従来の入出場情報Ｄ４は、従来の切符挿入口有りの自動改札の情報処理部７とインタフェースされる。【選択図】        図１
2006085287.tif 000002
【特許請求の範囲】
【請求項１】
切符と自動改札装置とを用いて入出場の管理を行うシステムに適用される自動改札方法であって、
前記自動改札装置に読み出し専用の非接触型ＩＣチップが搭載されて前記非接触型ＩＣチップにそれぞれユニークなＩＤの記憶された前記切符から前記非接触型ＩＣチップに記憶された前記ＩＤを読み出す手段を設置し、
前記ＩＤにより検索可能な形式で所定の切符情報を格納するデータベースを設け、
前記読み出されたＩＤにより前記データベースの前記所定の切符情報を検索して、
前記検索された所定の切符情報により前記入出場の管理を行う
ことを特徴とする自動改札方法。
【請求項２】
請求項１記載の自動改札方法において、
前記切符を販売する切符販売装置にて前記切符情報の最初の情報が形成され、
前記形成された切符情報の最初の情報が、前記販売される切符の前記非接触型ＩＣチップに記憶された前記ＩＤに従って前記データベースに格納される
ことを特徴とする自動改札方法。
【請求項３】
請求項１記載の自動改札方法において、
入場時の前記自動改札装置にて読み出された前記ＩＤにより前記データベースを検索して、前記切符情報に入場情報を追加格納すると共に、
前記検索された切符情報に不正が発見された場合には入場を規制する手段を設ける
ことを特徴とする自動改札方法。
【請求項４】
請求項１記載の自動改札方法において、
出場時の前記自動改札装置にて読み出された前記ＩＤにより前記データベースを検索して、前記切符情報に出場情報を追加格納すると共に、
前記検索された切符情報に不正が発見された場合には出場を規制する手段を設ける
ことを特徴とする自動改札方法。
【請求項５】
請求項１〜４のいずれかに記載の自動改札方法において、
前記切符情報は既存のシステムで利用されている情報と互換のものとし、
前記データベースを検索する手段に、前記切符情報を前記既存のシステムで利用されている情報に変換する手段を併設して、
前記自動改札装置には前記既存のシステムで利用されている装置の流用を可能とする
ことを特徴とする自動改札方法。
【請求項６】
切符と自動改札装置を用いて入出場の管理を行う自動改札システムであって、
読み出し専用の非接触型ＩＣチップを搭載して前記非接触型ＩＣチップにそれぞれユニークなＩＤを記憶した前記切符から前記非接触型ＩＣチップに記憶された前記ＩＤを読み出す手段を設置した前記自動改札装置と、
前記ＩＤにより検索可能な形式で所定の切符情報を格納するデータベースとを有し、
前記読み出されたＩＤにより前記データベースの前記所定の切符情報を検索して、
前記検索された所定の切符情報により前記入出場の管理を行う
ことを特徴とする自動改札システム。
【請求項７】
請求項６記載の自動改札システムにおいて、
前記切符を販売する切符販売装置が設けられ、
前記切符販売装置にて前記切符情報の最初の情報が形成され、
前記形成された切符情報の最初の情報が、前記販売される切符の前記非接触型ＩＣチップに記憶された前記ＩＤに従って前記データベースに格納される
ことを特徴とする自動改札システム。
【請求項８】
請求項６記載の自動改札システムにおいて、
入場時の前記自動改札装置にて読み出された前記ＩＤにより前記データベースを検索して、前記切符情報に入場情報を追加格納すると共に、
前記検索された切符情報に不正が発見された場合には入場を規制する手段を設ける
ことを特徴とする自動改札システム。
【請求項９】
請求項６記載の自動改札システムにおいて、
出場時の前記自動改札装置にて読み出された前記ＩＤにより前記データベースを検索して、前記切符情報に出場情報を追加格納すると共に、
前記検索された切符情報に不正が発見された場合には出場を規制する手段を設ける
ことを特徴とする自動改札システム。
【請求項１０】
請求項６〜９のいずれかに記載の自動改札システムにおいて、
前記切符情報は既存のシステムで利用されている情報と互換のものとし、
前記データベースを検索する手段に、前記切符情報を前記既存のシステムで利用されている情報に変換する手段を併設して、
前記自動改札装置として前記既存のシステムで利用されている装置の流用を可能とする
ことを特徴とする自動改札システム。
【請求項１１】
自動改札システムに用いられる切符販売装置であって、
読み出し専用の非接触型ＩＣチップを搭載して前記非接触型ＩＣチップにそれぞれユニークなＩＤを記憶した切符を多数収容し、
前記切符を販売する際に所定の切符情報の最初の情報を形成する手段と、
前記形成した切符情報の最初の情報を、前記切符情報の格納されるデータベースに、前記販売される切符の前記ＩＤに従って格納する手段と
を有することを特徴とする切符販売装置。
【請求項１２】
請求項１１記載の切符販売装置において、
前記切符情報は既存のシステムで利用されている情報と互換のものとし、
前記データベースを検索する手段に、前記切符情報を前記既存のシステムで利用されている情報に変換する手段を併設する
ことを特徴とする切符販売装置。
【請求項１３】
自動改札システムに用いられる自動改札装置であって、
読み出し専用の非接触型ＩＣチップを搭載して前記非接触型ＩＣチップにそれぞれユニークなＩＤを記憶した切符から前記ＩＤを読み出す手段と、
前記読み出されたＩＤにより所定の切符情報の格納されたデータベースを検索して情報の追加格納を行う手段と、
前記検索された所定の切符情報により入出場の管理を行う手段と
を有することを特徴とする自動改札装置。
【請求項１４】
請求項１３記載の自動改札装置において、
前記切符情報は既存のシステムで利用されている情報と互換のものとし、
前記データベースを検索する手段に、前記切符情報を前記既存のシステムで利用されている情報に変換する手段を併設して、
前記既存のシステムで利用されている装置の流用を可能とする
ことを特徴とする自動改札装置。  
【発明の詳細な説明】
【技術分野】
【０００１】
本発明は、例えば鉄道事業における乗客の入出場の管理等に使用して好適な自動改札方法、自動改札システム、切符販売装置及び自動改札装置に関する。詳しくは、読み出し専用の非接触型ＩＣチップを搭載した切符を用いて、良好な入出場の管理が行われるようにしたものである。
【背景技術】
【０００２】
従来の自動改札システムでは、自動改札装置に切符挿入口を設けて、挿入された切符の磁気情報を読み書きして、入出場の管理を行っている（例えば、特許文献１参照。）。
また、読み書き可能な非接触型ＩＣチップを搭載したカードを用いて、このカードを自動改札装置に翳すことによりカード上の情報を読み書きして、入出場を管理しているものもある（例えば、特許文献２参照。）。
【０００３】
さらに読み出し専用小型非接触型ＩＣチップは、すでに物品の流通管理等に採用されている（例えば、特許文献３参照。）。
また、このような読み出し専用小型非接触型ＩＣチップを切符に搭載することも提案されている（例えば、特許文献４参照。）。
【特許文献１】特開２０００−３００９５号公報
【特許文献２】特開２００４−１１８７３８号公報
【特許文献３】特開２００１−３２５５７２号公報
【特許文献４】特開２００３−２２８６９８号公報
【発明の開示】
【発明が解決しようとする課題】
【０００４】
しかしながら、上述の特許文献１の自動改札装置では、磁性面に磁気ヘッドを摺接させて磁気情報を読み書きすることから内部に駆動機構を設ける必要がある。このため、このような駆動機構には故障に対する保守作業等が必要であって、維持保守費用等の面で良好とは言えないものであった。
【０００５】
そこで上述の不利な点を解消する目的で、上述の特許文献２の自動改札装置では、読み書き可能な非接触型ＩＣカードを、定期券及び先払い切り崩し型乗車券カードとして利用する。読み書き可能な非接触型ＩＣチップを搭載したカードを用いて、このカードを自動改札装置に翳すことによりカード上の情報の読み書きを行うものである。
【０００６】
従って、このような自動改札装置では、特許文献１の自動改札装置のような駆動機構を設ける必要がなく、故障に対する保守作業等を大幅に減少させることができ、維持保守費用等の面で有利にすることができる。なおこのような自動改札装置は、近年首都圏の鉄道分野等で実施されているものである。
【０００７】
しかし、現時点で切符自体は無くなっておらず、全国的に見ても切符が主流であり、改札口の混雑が問題にならない地方の様な鉄道利用者の選択肢としても、切符自体は必要である。そのため、いわゆる使い切りの切符においても、その切符自体を自動改札装置に翳すことにより、入出場の管理を行う手段が求められている。
【０００８】
そこで、新たな切符として特許文献３の読み出し専用小型非接触型ＩＣチップを搭載した切符が特許文献４に提案された。しかしながら、特許文献３の読み出し専用小型非接触型ＩＣチップは、読み出し専用であるため書き込みができないものであり、このためこれを切符に採用しても、入出場情報等の切符情報の書き込みを行うことができない。
【０００９】
この発明はこのような点に鑑みて成されたものであって、本発明の目的は、読み出し専用小型非接触型ＩＣチップを搭載した切符を利用することにより、切符用自動改札装置の駆動機構を不要とし、もって保守費用の低減を図り、また読み出し専用の切符で入出場情報を保持することを可能とするものである。
【課題を解決するための手段】
【００１０】
近年のＩＣ集積技術の進歩により、超小型の非接触型ＩＣチップを安価に入手することが可能となりつつある。これを物に貼り付けて、その物を識別するために利用する応用も考えられている。このような非接触型ＩＣチップは、非接触で識別できるため、識別装置の機構を単純にすることが可能である。
【００１１】
そこで本発明では、読み出し専用小型非接触型ＩＣチップを切符に貼り付け、その切符を識別するために使用する。従来は切符自体に乗車区間や料金、販売日時等の切符情報を記憶していたため、切符販売時にこれらの情報の書き込みが必要であったが、本発明では従来書き込みされた切符情報を、切符販売時に切符販売装置から外部記憶装置に記憶する。
【００１２】
さらに切符のＩＣチップで保持されるユニークな切符識別情報（ユニークなＩＤ）により、外部記憶装置から対応する書き込み情報を読み出すことを可能にし、入出場の管理を実現するものである。これにより切符用の自動改札装置は非接触型が可能となり、機械的な駆動機構は不要となるため、自動改札装置の保守コストは大幅減が可能となる。
【発明の効果】
【００１３】
本発明によれば、読み書き可能な非接触型ＩＣカードを使用せずに切符の形状のままで自動改札装置に翳して使用し、従来の自動改札内部の駆動機構を使用せずに切符情報を認識するため、駆動機構の故障に対する保守は大幅に低減することができる。また、読み出し専用小型非接触型ＩＣチップの利用例の１つとして、他の分野への応用も可能である。
【発明を実施するための最良の形態】
【００１４】
本発明では、読み出し専用小型非接触型ＩＣチップを搭載した切符を用い、切符を販売した際に切符識別情報であるユニークなＩＤに紐付いた切符情報（乗車区間、料金、販売日時、入場情報、出場情報等）をデータベースに蓄積して、従来切符自体が保持していた情報をシステム的に保持することができる。
【００１５】
また、切符の購入者が自動改札装置の切符情報読み取り専用リーダ部に切符を翳すことで、読み取った切符のユニークなＩＤと蓄積済みの切符情報を紐付けした情報及び入出場情報を従来の切符挿入口有りの自動改札の情報処理部と受け渡しするため、従来の自動改札内部の駆動機構を使用せずに入出場可否を解決することができる。
【００１６】
以下、図面を参照して本発明を説明するに、図１は本発明を適用した自動改札システムの一実施形態の全体の構成及びデータの流れを示すブロック図である。
【００１７】
図１において、本発明を適用した自動改札システムの構成は、読み出し専用小型非接触型ＩＣチップを搭載した切符２と、切符２の販売と切符情報設定を行う切符販売装置１と、切符２の切符識別情報Ｄ１（ユニークなＩＤ）を読み取るための切符識別情報の読み取り専用リーダ３と、切符識別情報Ｄ１のユニークなＩＤ別の切符情報Ｄ２を格納する切符情報データベース４からなる。
【００１８】
そして、このシステムでの情報処理を行うため、切符識別情報Ｄ１（ユニークなＩＤ）と切符識別情報Ｄ１のユニークなＩＤ別の切符情報Ｄ２から切符情報の整合性を判断するプログラム５と、プログラム５の判断情報を従来の切符情報Ｄ３に変換及び切符情報データベース４に格納できる形式に変換するプログラム６とが設けられる。また、プログラム６が入出力する従来の入出場情報Ｄ４は、従来の切符挿入口有りの自動改札の情報処理部７とインタフェースされる。
【００１９】
さらに、切符販売装置１の概略を図２に示す。本発明の切符販売装置１は、購入者が目的地までの金額や駅名を選択する購入者入力部１１と、販売前の切符２の蓄積部１２と、販売前の切符２の切符識別情報Ｄ１（ユニークなＩＤ）の読み取り部１３と、入力部１１の入力情報と読み取り部１３の切符識別情報Ｄ１（ユニークなＩＤ）の紐付けと切符情報データベース４と情報の受送信を行う制御部１４と、切符情報データベース４に切符識別情報Ｄ１のユニークなＩＤ別の切符情報Ｄ２が正常に登録された場合に、読み出し専用小型非接触型ＩＣチップを搭載した切符２を販売する受け取り部１５とで構成される。
【００２０】
また、自動改札装置の実施形態を図３に示す。本発明での自動改札装置には、切符２を翳して切符識別情報Ｄ１（ユニークなＩＤ）を読み取る切符情報読み取り専用のリーダ３が設けられる。そして、読み取られた切符識別情報Ｄ１（ユニークなＩＤ）をキーとして切符情報データベース４に切符識別情報Ｄ１のユニークなＩＤ別の切符情報Ｄ２を問い合わせて切符情報の整合性を判断するプログラム５と、従来の切符情報の変換及び切符情報データベース４に格納できる形式に変換するプログラム６と、従来の切符挿入口有りの自動改札の情報処理部７が最低限必要である。
【００２１】
ただし本発明においては、従来の自動改札装置に設けられていた切符用の駆動機構２１は不要であり、この駆動機構２１を取除けば自動改札装置の長さは短くなるため、本発明は、省スペース化の手段とすることも可能である。
【００２２】
次に、本発明の動作を、図４、図５、図６のフローチャートと、図７のＡ〜Ｃのデータ例の表を用いて説明する。
【００２３】
最初に、図４のフローチャートを用いて切符２の販売処理を説明する。図４において、まずステップＳ１０で、切符販売装置１に購入希望する切符情報（一般には降車駅、もしくは降車駅までの運賃）を入力する。次にステップＳ１１で、販売される切符２の１枚分の切符識別情報Ｄ１（ユニークなＩＤ）を取得する。さらにステップＳ１２で、切符２の切符識別情報Ｄ１（ユニークなＩＤ）と入力された目的地等の切符情報Ｄ２を切符情報データベース４へ格納する。
【００２４】
またステップＳ１３で、ステップＳ１２の切符情報Ｄ２の格納が正しく行われたか、判断する。ここで正しく格納された場合は、ステップＳ１４で、該当金額入金後、切符販売装置１の受け取り口１５に切符２のセットを行う。また正しく格納されなかった場合（例えばユニークなＩＤの重複）はステップＳ１０に戻り、入力動作からやり直す。
【００２５】
従って、図７のＡのデータ例では、例１は入力に応じて正しく格納されているため、ステップＳ１４を行う。また、例２は格納時点で既に同一の切符識別情報Ｄ１が存在しており、例２の内容を格納できなかったため、ステップＳ１０に戻る。さらにステップＳ１４で、切符金額の入金後、切符販売装置１の受け取り部１５に切符２をセットし、購入者が切符２を取得できるようにする。
【００２６】
次に、図５のフローチャートを用いて切符２での入場処理を説明する。図５において、まずステップＳ２０で、入場用の切符識別情報の読み取り専用リーダ３から切符２の切符識別情報Ｄ１（ユニークなＩＤ）の読み出し、プログラム５への情報転送を行う。次にステップＳ２１で、プログラム５にて読み込んだ切符２の切符識別情報Ｄ１（ユニークなＩＤ）の検索を行う。
【００２７】
また、ステップＳ２２で、ステップＳ２１の検索で１つだけ存在しているかどうか、判断する。ここで１つだけ存在している場合は、ステップＳ２３を行う。また存在しない、もしくは１つ以上存在する場合は、ステップＳ２４を実行する。
【００２８】
従って、図７のＢのデータ例では、例１は入力と同じ切符情報が１つだけであるため、ステップＳ２３を行う。また、例２は入力と同じ切符情報は存在しないため、ステップＳ２４を行う。さらに例３では切符ＩＤは１つだけ存在しているが販売駅が異なっているため、ステップＳ２４を行う。
【００２９】
さらにステップＳ２３で、プログラム５での検索結果を正常と判断（判断情報Ｄ５）し、プログラム６にて切符識別情報Ｄ１のユニークなＩＤ別の切符情報Ｄ２に入場情報Ｄ６を格納し、また従来の入出場情報Ｄ４への変換を行う。そしてステップＳ２５で、従来の切符挿入口有りの自動改札の情報処理部７で従来の入出場情報Ｄ４を受け取り、改札装置ゲート開の処理を実行し、入場処理を終了する。
【００３０】
一方、ステップＳ２４では、プログラム５での検索結果を異常と判断（判断情報Ｄ５）し、プログラム６にて異常としての従来の入出場情報Ｄ４に変換する。次にステップＳ２６で、従来の切符挿入口有りの自動改札の情報処理部７で従来の入出場情報Ｄ４（異常情報）を受け取り、改札装置ゲート閉の状態で改札装置警報の鳴動処理を実行し、入場処理を終了する。
【００３１】
次に、図６のフローチャートを用いて切符２での出場処理を説明する。図６において、まずステップＳ３０で、出場用の切符識別情報の読み取り専用リーダ３から切符２の切符識別情報Ｄ１（ユニークなＩＤ）の読み出し、プログラム５への情報転送を行う。次にステップＳ３１で、プログラム５にて読み込んだ切符２の切符識別情報Ｄ１（ユニークなＩＤ）の入場情報および区間情報の検索を行う。
【００３２】
また、ステップＳ３２で、ステップＳ３１で検索した切符２の切符識別情報Ｄ１のユニークなＩＤ別の切符情報Ｄ２が、入場済み且つ正しい区間であるか判断する。ここで入場済み且つ正しい区間であった場合は、ステップＳ３３を実行する。また入場していない、区間が不正、情報が存在しない、複数存在する場合は、ステップＳ３４を実行する。
【００３３】
従って、図７のＣのデータ例では、例１は入力の切符情報に対して入場済み且つ正しい区間であるため、ステップＳ３３を実行する。また、例２は入力の切符情報に対して入場済み且つ購入区間内であるため、ステップＳ３３を実行する。さらに例３では区間不正、例４では入場情報無し、例５では入力の切符情報無しのため、それぞれステップＳ３４を実行する。
【００３４】
さらにステップＳ３３で、プログラム５での検索結果を正常と判断（判断情報Ｄ５）し、プログラム６にて切符識別情報Ｄ１のユニークなＩＤ別の切符情報Ｄ２に出場情報Ｄ７を格納し、また従来の入出場情報Ｄ４への変換を行う。そしてステップＳ３５で、従来の切符挿入口有りの自動改札の情報処理部７で従来の入出場情報Ｄ４を受け取り、改札装置ゲート開の処理を実行し、出場処理を終了する。
【００３５】
一方、ステップＳ３４では、プログラム５での検索結果を異常と判断（判断情報Ｄ５）し、プログラム６にて異常としての従来の入出場情報Ｄ４に変換する。次にステップＳ３６で、従来の切符挿入口有りの自動改札の情報処理部７で従来の入出場情報Ｄ４（異常情報）を受け取り、改札装置ゲート閉の状態で改札装置警報の鳴動処理を実行し、出場処理を終了する。
【００３６】
こうして、本発明によれば、読み出し専用小型非接触型ＩＣチップを搭載した切符を利用することにより、切符用自動改札装置の駆動機構を不要とし、もって保守費用の低減を図り、また読み出し専用の切符で入出場情報を保持することを可能とすることができるものである。
【００３７】
すなわち請求項１に記載された本発明によれば、切符とゲート装置とを用いて入出場の管理を行うシステムに適用される自動改札方法であって、自動改札装置に読み出し専用の非接触型ＩＣチップが搭載されて非接触型ＩＣチップにそれぞれユニークなＩＤの記憶された切符から非接触型ＩＣチップに記憶されたＩＤを読み出す手段を設置し、ＩＤにより検索可能な形式で所定の切符情報を格納するデータベースを設け、読み出されたＩＤによりデータベースの所定の切符情報を検索して、検索された所定の切符情報により入出場の管理を行うことにより、上述の本発明の目的を達成することができる。
【００３８】
また、請求項２に記載の発明による自動改札方法では、切符を販売する切符販売装置にて切符情報の最初の情報が形成され、形成された切符情報の最初の情報が、販売される切符の非接触型ＩＣチップに記憶されたＩＤに従ってデータベースに格納されることにより、切符情報による入出場の管理を、読み出し専用の非接触型ＩＣチップを搭載した切符を用いて行うことができる。
【００３９】
請求項３に記載の発明による自動改札方法では、入場時のゲート装置にて読み出されたＩＤによりデータベースを検索して、切符情報に入場情報を追加格納すると共に、検索された切符情報に不正が発見された場合には入場を規制する手段を設けることにより、入場の管理を良好に行うことができる。
【００４０】
請求項４に記載の発明による自動改札方法では、出場時のゲート装置にて読み出されたＩＤによりデータベースを検索して、切符情報に出場情報を追加格納すると共に、検索された切符情報に不正が発見された場合には出場を規制する手段を設けることにより、出場の管理を良好に行うことができる。
【００４１】
請求項５に記載の発明による自動改札方法では、切符情報は既存のシステムで利用されている情報と互換のものとし、データベースを検索する手段に、切符情報を既存のシステムで利用されている情報に変換する手段を併設することにより、ゲート装置には既存のシステムで利用されている装置の流用を可能とすることができる。
【００４２】
さらに、請求項６に記載された本発明によれば、切符とゲート装置を用いて入出場の管理を行う自動改札システムであって、読み出し専用の非接触型ＩＣチップを搭載して非接触型ＩＣチップにそれぞれユニークなＩＤを記憶した切符から非接触型ＩＣチップに記憶されたＩＤを読み出す手段を設置した自動改札装置と、ＩＤにより検索可能な形式で所定の切符情報を格納するデータベースとを有し、読み出されたＩＤによりデータベースの所定の切符情報を検索して、検索された所定の切符情報により入出場の管理を行うことにより、上述の本発明の目的を達成することができる。
【００４３】
また、請求項７に記載の発明による自動改札システムでは、切符を販売する切符販売装置が設けられ、切符販売装置にて切符情報の最初の情報が形成され、形成された切符情報の最初の情報が、販売される切符の非接触型ＩＣチップに記憶されたＩＤに従ってデータベースに格納されることにより、切符情報による入出場の管理を、読み出し専用の非接触型ＩＣチップを搭載した切符を用いて行うことができる。
【００４４】
請求項８に記載の発明による自動改札システムでは、入場時のゲート装置にて読み出されたＩＤによりデータベースを検索して、切符情報に入場情報を追加格納すると共に、検索された切符情報に不正が発見された場合には入場を規制する手段を設けることにより、入場の管理を良好に行うことができる。
【００４５】
請求項９に記載の発明による自動改札システムでは、出場時のゲート装置にて読み出されたＩＤによりデータベースを検索して、切符情報に出場情報を追加格納すると共に、検索された切符情報に不正が発見された場合には出場を規制する手段を設けることにより、出場の管理を良好に行うことができる。
【００４６】
請求項１０に記載の発明による自動改札システムでは、切符情報は既存のシステムで利用されている情報と互換のものとし、データベースを検索する手段に、切符情報を既存のシステムで利用されている情報に変換する手段を併設することにより、ゲート装置として既存のシステムで利用されている装置の流用を可能とすることができる。
【００４７】
さらに、請求項１１に記載された本発明によれば、自動改札システムに用いられる切符販売装置であって、読み出し専用の非接触型ＩＣチップを搭載して非接触型ＩＣチップにそれぞれユニークなＩＤを記憶した切符を多数収容し、切符を販売する際に所定の切符情報の最初の情報を形成する手段と、形成した切符情報の最初の情報を、切符情報の格納されるデータベースに、販売される切符のＩＤに従って格納する手段とを有することにより、上述の本発明の目的を達成することができる。
【００４８】
また、請求項１２に記載の発明による切符販売装置では、切符情報は既存のシステムで利用されている情報と互換のものとし、データベースを検索する手段に、切符情報を既存のシステムで利用されている情報に変換する手段を併設することにより、既存のシステムとの互換を良好に保つことができる。
【００４９】
さらに、請求項１３に記載された本発明によれば、自動改札システムに用いられるゲート装置であって、読み出し専用の非接触型ＩＣチップを搭載して非接触型ＩＣチップにそれぞれユニークなＩＤを記憶した切符からＩＤを読み出す手段と、読み出されたＩＤにより所定の切符情報の格納されたデータベースを検索して情報の追加格納を行う手段と、検索された所定の切符情報により入出場の管理を行う手段とを有することにより、上述の本発明の目的を達成することができる。
【００５０】
また、請求項１４に記載の発明によるゲート装置では、切符情報は既存のシステムで利用されている情報と互換のものとし、データベースを検索する手段に、切符情報を既存のシステムで利用されている情報に変換する手段を併設することにより、既存のシステムで利用されている装置の流用を可能とすることができる。
【００５１】
なお本発明は、上述の説明した実施形態に限定されるものではなく、本発明の精神を逸脱することなく種々の変形が可能とされるものである。
【図面の簡単な説明】
【００５２】
【図１】本発明を適用した自動改札システムの一実施形態の全体の構成及びデータの流れを示すブロック図である。
【図２】本発明を適用した切符販売装置の概略を示す図である。
【図３】本発明を適用した自動改札装置の実施形態を示す図である。
【図４】本発明による切符の販売を説明するフローチャート図である。
【図５】本発明による入場動作を説明するフローチャート図である。
【図６】本発明による出場動作を説明するフローチャート図である。
【図７】本発明による入場時判定、切符情報格納及び出場時判定のデータ例を示す表図である。
【符号の説明】
【００５３】
１…切符販売機、２…読み出し専用小型非接触型ＩＣチップを搭載した切符、３…切符識別情報の読み取り専用リーダ、４…切符情報データベース、５…切符情報の整合性を判断するプログラム、６…従来の切符情報への変換および切符情報データベースに格納できる形式に変換するプログラム、７…従来の切符挿入口有りの自動改札の情報処理部、１１…購入者入力部、１２…切符の蓄積部、１３…切符識別情報の読み取り部、１４…情報の受送信を行う制御部、１５…切符の受け取り部、２１…従来の切符用の駆動機構
【図１】
2006085287.tif 000003
【図２】
2006085287.tif 000004
【図３】
2006085287.tif 000005
【図４】
2006085287.tif 000006
【図５】
2006085287.tif 000007
【図６】
2006085287.tif 000008
【図７】
2006085287.tif 000009